(57)【要約】【課題】シール性を確保しつつ破れないようにする。【解決手段】ゴム栓１０の電線かしめ部１４は、雌端子金具３０のインシュレーションバレル３１によってかしめられ、電線２０との間を水密状にシールする。電線かしめ部１４の内周における電線挿通孔１１の孔径は、電線２０の外径と略同一径とされている。一方、ゴム栓１０の電線密着部１５は、電線かしめ部１４よりも電線２０の挿通方向に関する先端側において、電線かしめ部１４よりも薄肉となっており、電線挿通時に電線２０に引っ張られて電線２０の挿通方向に伸びた状態で電線２０と密着するようになっている。【選択図】  図１
2004288432.tif 000002
【特許請求の範囲】
【請求項１】
軸芯に沿って電線挿通孔が貫通して設けられるとともに、端子金具のインシュレーションバレルによってかしめられ、電線との間を水密状にシールする電線かしめ部が設けられたゴム栓において、
前記電線かしめ部は、その内周における前記電線挿通孔の孔径が、前記電線の外径と略同一径もしくは大径とされ、
前記電線かしめ部よりも前記電線の挿通方向に関する先端側には、前記電線かしめ部よりも薄肉の電線密着部が設けられ、この電線密着部は、電線挿通時に前記電線に引っ張られて前記電線の挿通方向に伸びた状態で前記電線と密着するように設定されていることを特徴とするゴム栓。
【請求項２】
前記ゴム栓の外周または内周における前記電線挿通孔には、段部が設けられ、この段部を境として前記電線密着部が薄肉化されていることを特徴とする請求項１記載のゴム栓。
【請求項３】
前記電線密着部は、その内周における前記電線挿通孔の孔径が、前記電線の外径より小径とされていることを特徴とする請求項１または２記載のゴム栓。
【発明の詳細な説明】
【０００１】
【発明の属する技術分野】
本発明は、防水コネクタ等に使用されるゴム栓に関する。
【０００２】
【従来の技術】
一般に防水コネクタ等に使用されるゴム栓は、図６に示すように、軸芯に沿って電線挿通孔１が貫通して設けられており、電線挿通方向に沿って順に、電線通し部２、リップ部３、および電線かしめ部４が並んで設けられている。リップ部３は、電線挿通孔１の孔壁において軸方向に沿って間隔を空けて設けられた複数条の内側リップ部３Ａと、外周面において軸方向に沿って間隔を空けて設けられた複数条の外側リップ部３Ｂとから構成される。また、電線かしめ部４は、先端側に行くにつれて先窄み状となっており、その外周面の後端側には、端子金具のインシュレーションバレル（図示せず）がかしめられるようになっている。
【０００３】
そして、ゴム栓は、電線挿通孔１に電線（図示せず）が挿通され、電線かしめ部４にインシュレーションバレルがかしめられることで、電線との間を水密状にシールするようになっている。その後、ゴム栓は、電線とともにコネクタハウジング（図示せず）のキャビティ内に挿通され、キャビティの内壁に外側リップ部が密着されることでキャビティ内を水密状にシールするようになっている。この種のゴム栓は、以下の特許文献１に記載されている。
【０００４】
【特許文献１】
特開平７−２８２８９３号公報
【０００５】
【発明が解決しようとする課題】
上記従来の技術においては、電線挿通孔１に電線が挿通されるとき、電線かしめ部４が先端側に行くにつれて先窄み状に形成されているため、電線かしめ部４が全体的に電線の挿通動作に連られて引き伸ばされてしまう。そうすると、ゴム栓が引き伸ばされて薄肉となった状態で、そこにインシュレーションバレルがかしめ付けられるから、かしめにともなって電線かしめ部４が破れてしまう懸念がある。
もっとも、電線かしめ部４の内周における電線挿通孔１の孔径を電線の外径と略同一径とすることにより、電線かしめ部４と電線との間の干渉をなるべく小さくして電線かしめ部４が薄肉化されないように手当てすることも可能であるが、このようなゴム栓では、電線との間のシール性が充分に図れなくなる懸念がある。
【０００６】
本発明は上記のような事情に基づいて完成されたものであって、シール性を確保しつつ破れないようなゴム栓を提供することを目的とする。
【０００７】
【課題を解決するための手段】
上記の目的を達成するための手段として、請求項１の発明は、軸芯に沿って電線挿通孔が貫通して設けられるとともに、端子金具のインシュレーションバレルによってかしめられ、電線との間を水密状にシールする電線かしめ部が設けられたゴム栓において、前記電線かしめ部は、その内周における前記電線挿通孔の孔径が、前記電線の外径と略同一径もしくは大径とされ、前記電線かしめ部よりも前記電線の挿通方向に関する先端側には、前記電線かしめ部よりも薄肉の電線密着部が設けられ、この電線密着部は、電線挿通時に前記電線に引っ張られて前記電線の挿通方向に伸びた状態で前記電線と密着するように設定されている構成としたところに特徴を有する。
【０００８】
請求項２の発明は、請求項１に記載のものにおいて、前記ゴム栓の外周または内周における前記電線挿通孔には、段部が設けられ、この段部を境として前記電線密着部が薄肉化されているところに特徴を有する。
【０００９】
請求項３の発明は、請求項１または２に記載のものにおいて、前記電線密着部は、その内周における前記電線挿通孔の孔径が、前記電線の外径より小径とされているところに特徴を有する。
【００１０】
【発明の作用及び効果】
＜請求項１の発明＞
電線かしめ部は、その内周における電線挿通孔の孔径が電線の外径と略同一径もしくは大径とされることで、電線挿通時に電線に連られないようにして電線の通過を許容するようになっているから、インシュレーションバレルのかしめにともなって破れるような事態を回避できる。一方、電線密着部は、電線かしめ部よりも薄肉に形成されており、電線挿通時に電線に引っ張られて電線の挿通方向に伸びた状態で電線と密着するようになっているから、電線との間のシール性が保障される。
【００１１】
＜請求項２の発明＞
電線密着部は、段部を境として全体的に薄肉化されているから、例えば、先端部のみが薄肉化されているようなものと比べると、電線との密着性が高く、シール性が強い。
【００１２】
＜請求項３の発明＞
電線密着部は、その内周における電線挿通孔の孔径が電線の外径よりも小径とされているから、電線との密着性がより高く、シール性が一層強い。
【００１３】
【発明の実施の形態】
以下、本発明の一実施形態を図１ないし図４によって説明する。本実施形態のゴム栓１０は、電線２０を嵌着した状態で雌端子金具３０のインシュレーションバレル３１によってかしめられ、その状態で図示しない防水コネクタのコネクタハウジングのキャビティ内に挿入されるようになっている。
【００１４】
電線２０は、図３に示すように、金属細線からなる芯線２１の周りが絶縁被覆２２で覆われて形成されている。この電線２０は、端末部分の絶縁被覆２２が切除されることで、芯線２１が所定長さ分だけ露出されており、この露出した芯線２１に雌端子金具３０のワイヤバレル３２が圧着接続されるようになっている。なお、以下の説明において、芯線２１の配される側を前方、絶縁被覆２２の配される側を後方とする。
【００１５】
雌端子金具３０は、一枚の金属板から所定形状にプレス成形されており、後側から前側に向かって順に、インシュレーションバレル３１、ワイヤバレル３２、および本体部３３が連設されている。本体部３３は、前面が開口する形態で箱形をなし、前方から相手側の雄端子金具（図示せず）が進入可能とされている。本体部３３内には、底板３４から突設された舌片が内側に折り返されることで弾性接触片（図示せず）が設けられており、本体部３３内に進入される雄端子金具と弾性的に接触可能とされている。
【００１６】
ワイヤバレル３２は、底板３４から起立する形態で左右一対の突片３５を備え、各突片３５は、底板３４上に載せられた芯栓２１を左右方向から包み込むようにしてかしめるようになっている。
また、インシュレーションバレル３１は、底板３４の後端部から立ち上げられた左右夫々の固着片３６を備え、各固着片３６は、前後方向に沿って位置ずれしつつ配されている。具体的には、図２に示す左側の固着片３６は前側に、図２に示す右側の固着片３６は後側に配されている。各固着片３６は、底板３４上に載せられたゴム栓１０を電線２０の挿通方向と交差する向きから巻き込むようにしてかしめるようになっている。
【００１７】
さて、ゴム栓１０は、図１に示すように、全体として筒状をなし、軸芯に沿って貫通する電線挿通孔１１を保有している。このゴム栓１０には、後側から前側に向かって順に、胴部１２、リップ部１３、電線かしめ部１４、および電線密着部１５が一体に連設されている。
【００１８】
胴部１２は、厚肉の筒状をなし、その後端開口縁部には、電線２０が誘い込まれるようにラッパ状に開口する電線通し口１６が設けられている。リップ部１３は、胴部１２とほぼ同じ厚みを有し、周方向に膨出して形成された内側リップ部１３Ａと外側リップ部１３Ｂとから構成され、これら内側リップ部１３Ａと外側リップ部１３Ｂとは、軸芯方向に沿って交互に位相をずらして配されている。内側リップ部１３Ａは、電線２０と密着することで電線２０との間をシールする一方、外側リップ１３Ｂは、コネクタハウジングのキャビティ内においてキャビティの内壁との間をシールするようになっている。
【００１９】
電線かしめ部１４は、胴部１２よりも薄肉となり、その内周における電線挿通孔１１の孔径が、挿通される電線２０（絶縁被覆２２の部分を含む）の外径と略同一径とされ、且つ、電線２０の挿通方向に沿って一定の径寸法に設定されている。また、電線かしめ部１４の外径も、対応する内径と同心状で電線２０の挿通方向に関して一定の径寸法に設定され、もって電線かしめ部１４全体の厚みが一定とされている。そして、電線かしめ部１４の外周面には、雌端子金具３０のインシュレーションバレル３１の各固着片３６が固着可能とされている。
【００２０】
電線密着部１５は、雌端子金具３０のインシュレーションバレル３１によるかしめの影響を直接的に受けないように電線かしめ部１４の前側に配されている。この電線密着部１５は、その外周面が電線かしめ部１４の外周面との間で段部５０を介して連続することにより、全体的に薄肉化されている。また、電線密着部１５の先端側は、その外周面が先窄み状のテーパ面１７とされ、さらに薄肉化されている。こうした先窄み状のテーパ面１７を有することにより、かしめ時にこの部分が浮き上がってしまうのを防止している。そして、電線密着部１５の内周における電線挿通孔１１の孔径は、開口縁部１８を除いて電線２０の外径と略同一径とされ、開口縁部１８が僅かに窄まって電線２０の外径よりも小径となっている。これにより、電線密着部１５は、電線挿通時に電線２０に引っ張られて電線２０の挿通方向に伸びた状態で電線２０と密着するようになっている。
【００２１】
本実施形態は、以上のような構造であり、続いてその作用について説明する。まず、金属板からプレス成形により雌端子金具３０を形成する一方、電線２０の端末部分の被覆電線２２を皮剥きして芯線２１を露出させる。次に、電線２０をゴム栓１０の電線通し口１６から電線挿通孔１１内に進入させる。すると、ゴム栓１０の内側リップ１３Ａが圧潰された状態で電線２０と密着して電線２０との間を水密状にシールする。また、ゴム栓１０の電線かしめ部１４は、その内周における電線挿通孔１１の孔径が電線２０の外径と略同一径とされているから、電線２０の進入動作にともない電線２０に連られないようになっている一方、ゴム栓１０の電線密着部１５は、電線かしめ部１４よりも薄肉とされ、しかもその開口縁部１８の孔径が電線２０の外径よりも小径とされているから、電線２０の進入動作にともない電線２０に連られて電線２０の挿通方向に引き伸ばされ、その状態で電線２０と緊密に密着するようになっている。
【００２２】
次に、雌端子金具３０の底板３４上に電線２０とゴム栓１０とを載置する。このとき、ワイヤバレル３２に芯線２１が、インシュレーションバレル３１にゴム栓１０の電線かしめ部１４が配されるようにする。そして、図示しない治具でもってワイヤバレル３２及びインシュレーションバレル３１をかしめつける。これにより、ワイヤバレル３２の各突片３５の先端部は、芯線２１を食い込むようにかしめ、雌端子金具３０と電線２０との間の導通が取られる。
【００２３】
一方、インシュレーションバレル３１の各固着片３６は、ゴム栓１０の電線かしめ部１４を左右両方向から巻き込むようにしてかしめる。これにより、各固着片３６間で挟圧される電線かしめ部１４は、弾性的につぶされた状態とされ、ゴム栓１０が電線２０とともに雌端子金具３０に保持されるようになる。本実施形態の場合、ゴム栓１０の電線かしめ部１４は、図４に示すように、インシュレーションバレル３１によりつぶされることで、電線密着部１５との間の段部５０がなくなって、その外周面が電線密着部１５の外周面と面一状に連続するようになっている。
その後、ゴム栓１０は、コネクタハウジングのキャビティ内に収容されるようになっており、その外側リップ１３Ｂがキャビティの内壁に密着されることで、キャビティ内の防水を図るようになっている。
【００２４】
以上、詳述したように本実施形態によれば、電線かしめ部１４の内周における電線挿通孔１１の孔径が電線２０の外径と略同一径とされることで、ゴム栓１０は、電線挿通時に電線２０に連られないようにして電線２０の通過を許容するようになっているから、インシュレーションバレル３１のかしめによって破れるような事態を回避できる。これに対して、電線密着部１５は、インシュレーションバレル３１のかしめの影響を直接的に受けない電線かしめ部１４の前側において、電線かしめ部１４よりも薄肉化され、且つ、その開口縁部１８が電線２０の外径よりも小径とされることで、電線挿通時に電線２０に引っ張られて電線２０の挿通方向に伸びた状態で電線２０と密着するようになっているから、電線２０との間の防水シール性が保障される。また、電線密着部１５は、段部５０を境として全体的に薄肉化されているから、電線２０との密着性を高めることができる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）上記実施形態では、電線密着部１５のうち開口縁部１８の部分だけが電線２０の外径よりも小径とされていたが、本発明においては、図５に示すように、電線密着部１５の内周における電線挿通孔１１が、電線かしめ部１４の内周との間に段部６０を介して、電線２０の外径より小径の一定寸法に設定されていても構わない。なお、図５において上記実施形態と同一の構造部位には、同一符号を付してある。
【００２７】
（２）本発明における電線密着部は、電線挿通時に電線に引っ張られて伸びた状態で電線と密着するようになっていればよく、例えば、電線かしめ部と比べて薄肉化されているだけでも構わない。
（３）電線かしめ部は、その内周における電線挿通孔の孔径が電線の外径よりも大径とされても構わない。また、電線かしめ部は、電線挿通時に電線に連られない程度に電線の外径よりも微小に小径とされていても構わない。
（４）上記実施形態では、雌端子金具について示したが、本発明においては、雄端子金具についても適用することができる。
【図面の簡単な説明】
【図１】本発明の一実施形態のゴム栓を示す断面図
【図２】電線が挿通されて端子金具に保持された状態を示す側面図
【図３】図２における要部断面図
【図４】要部拡大断面図
【図５】他の実施形態のゴム栓を示す断面図
【図６】従来のゴム栓を示す断面図
【符号の説明】
１０…ゴム栓
１１…電線挿通孔
１４…電線かしめ部
１５…電線密着部
２０…電線
３０…雌端子金具（端子金具）
３１…インシュレーションバレル
５０…段部
【図１】
2004288432.tif 000003
【図２】
2004288432.tif 000004
【図３】
2004288432.tif 000005
【図４】
2004288432.tif 000006
【図５】
2004288432.tif 000007
【図６】
2004288432.tif 000008